(57)【特許請求の範囲】
【請求項１】
住宅の壁の縁部や壁の開口部の周囲の縁部等の内壁面に取り付けられる住宅の化粧材であって、
少なくとも一方の側縁部と該側縁部を除く本体部とが分割され、
上記側縁部と上記本体部とのいずれか一方に長さ方向に沿った溝が形成されるともに、他方に該溝に嵌合する突条が形成され、
上記溝に上記突条を嵌合させることで、本体部と側縁部とが接合され、
上記溝の内側面に段差が形成されることで上記溝の幅が段階的に変化することにより該溝の奥の幅より開口部側の幅が広くされ、かつ、上記突条が上記溝に対応して、その厚みが段階的に変化することにより、先端部が後部より薄くされ、
上記突条の外面及び上記溝の内面の双方には、それぞれ断面ほぼ鋸歯状の抜け止め部が形成され、
前記溝の内面に形成された抜け止め部の鋸歯が、前記突条の外面に形成された抜け止め部の鋸歯より大きいことを特徴とする住宅の化粧材。
【請求項２】
請求項１記載の住宅の化粧材において、
上記溝が少なくとも奥側の幅の狭い一段目の挟幅部と、該挟幅部より開口部側の幅の広い拡幅部との少なくとも二段階の幅を有するように形成され、上記突条が上記溝に対応して先側の厚みの薄い一段目の薄部と、該薄部より後方の厚みの厚い厚部との少なくとも二段階の厚みを有するように形成され、上記突条の一段目の薄部の上記突条を上記溝に挿入する際の挿入方向に沿った長さが、上記溝の一段目の挟幅部の後端から開口までの上記挿入方向に沿った長さより長いことを特徴とする住宅の化粧材。
【請求項３】
請求項１または２記載の住宅の化粧材において、
上記溝の一段目の挟幅部の上記突条を上記溝に挿入する際の挿入方向に沿った長さが、上記突条の一段目の薄部の上記挿入方向に沿った長さより長いことを特徴とする住宅の化粧材。
【発明の詳細な説明】
【０００１】
【発明の属する技術分野】
本発明は、住宅の壁の縁部や壁の開口部の周囲の縁部等の内壁面に取り付けられる住宅の化粧材に関する。
【０００２】
【背景の技術】
一般に、住宅の内装においては、例えば、壁の内壁面の天井との境界部分（内壁面の上側の縁部）に設けられる廻り縁や、壁の内壁面の床との境界部分（内壁面の下側の縁部）に設けられる巾木や、内壁面の開口部の縁部などに設けられる化粧枠などの化粧材が取り付けられている。
【０００３】
上記化粧材は、一般的には、木材が用いられるが、樹脂が用いられる場合もある。また、木材に代えて、ＰＣＴ  ＪＰ９４／００３５１（国際公開番号；ＷＯ９４／２０２８０号）に記載された「セルロース系微粉粒、木質様成形品および木質様製品」における木質様成形品を化粧材として用いることも一部行なわれている。ここで、上記木質様成形品について簡単に説明する。原料としてのセルロース材（基本的には木材）を粉砕して得た粉砕粉を磨砕処理して嵩比重を高めた粉粒とし、この粉粒の外周面に、該粉粒より小径でかつ硬い表面粒（基本的には酸化チタンの粒）を固定させて固定粒とし、この固定粒に樹脂及び顔料を混合し、かつ溶融させ、その後または溶融と同時に押出成形または射出成形により所望形状に成形されたものである。
【０００４】
そして、木質様成形品は、天然の木の木目に極めて近い模様を有し、しかも手触り感等の風合いも天然の木に近いものとなる。また、この木質様成形品は、木材の端材や廃材を再生して用いることができ、端材や廃材の有効利用を図ることができるとともに、木材に比較して成形性が優れているとともに均質な材質を有するものとなっている。従って、化粧材に木質様成形品を用いることにより、木材と同様の質感を得られるとともに環境に配慮しながら品質の向上と品質の安定化を図ることができる。
【０００５】
上述のような木質様成形品もしくは他の樹脂からなる化粧材を、例えば、芯材の角部で隣接して取り付ける場合に角部に几帳面状の形状を構成する方法として、特開平１０−３３１３８７号公報に記載の化粧枠が提案されている。
上記公報においては、例えば、芯材の角部を挟む面にそれぞれ化粧枠下地材（受材）を取り付けるとともに、該受材に化粧面部材を取り付けることで、芯材の角部を挟む面にそれぞれ化粧面を形成する。また、角部を挟んで配置された化粧面部材同士の間に角が露出するように化粧枠角部材を配置することで、それぞれ化粧面部材の端部と該端部同士の間から露出する化粧枠角部材の角部から几帳面状（角部に複数の段差や突条等を有した状態）の形状を芯材の角部に形成するようになっている。
【０００６】
【発明が解決しようとする課題】
ところで、内壁面の、例えば、入出口や窓となる開口部の内側面に化粧枠（窓枠、ドア枠等）を形成する場合には、化粧枠の室内側に向かう側縁部が基本的に内壁面より突出した状態となるようになっている。また、内壁面に巾木等の化粧材がある場合には、化粧枠の室内側に向かう側縁部が巾木等の化粧材より室内側に突出した状態となるようになっている。また、巾木が無い状態でも、内壁面には、例えば、石膏ボードや、内装材等が貼られており、内壁面から石膏ボードや内装材を取り除いた状態でにおいては、化粧枠の室内側に向かう側縁部がかなり室内側に向かって突出した状態となっている。
【０００７】
このような化粧枠を背景の技術で説明したように芯材等の角部を挟んで二つ隣接して配置しようとすると、角部で隣接する二つの化粧枠のそれぞれの室内側に突出する部分が互いに重複する位置に配置されてしまうことになる。従って、単独で使用される化粧枠をそのまま状態で角部を挟んで隣接して配置することができなかった。従って、角部で化粧枠が隣接して配置されるような場合には、単独で使用される化粧枠を加工するか、もしくは、例えば、上記公報のように角部で几帳面を構成するような角部用の化粧枠を用いる必要があった。
【０００８】
一方、化粧材としての廻り縁は、天井面と内壁面との見切り材となるとともに、例えば、内壁面に貼設される内装材の見切り材となっており、廻り縁により内壁面に貼られた内装材の上端部が覆われて隠されるようになっている。しかし、内装材には、いわゆる壁紙等の薄いシート状のものと、厚みを有するボード状のものとがあり、薄いシート状の内装材が用いられた場合の廻り縁を、厚いボード状の内装材が用いられた場合に使用することができなかった。
以上のようなことから、化粧材の使用状況に応じて、同種の化粧材においても異なる規格のものが必要となり、化粧材の種類が多くなってしまうという課題があった。
【０００９】
そして、化粧材の種類を減らす方法としては、例えば、化粧材の一部を、例えば、分割可能な構成、例えば、化粧枠の室内側に突出する部分を切除可能な構成とすれば、単独で使用する際には、そのまま使用し、角部を挟んで隣接して用いる場合には、室内側に突出する部分を切除して使用すれば、一つの規格の化粧枠で、単独での使用と角部を挟んで二つ隣接させる場合での使用との両方の使用が可能となる。しかし、この場合に、強度を確保して切除可能な構成とすることから、化粧材の一部を切除する場合の作業性等に問題があった。
【００１０】
本発明は上記事情に鑑みてなされたものであり、同じ規格の化粧材を変形可能として異なる状況で使用できるようにするとともに、作業性の向上を図ることができる化粧材を提供することを目的とする。
【００１１】
【課題を解決するための手段】
本発明の請求項１記載の住宅の化粧材は、例えば、図３及び図４に示すように、住宅の壁の縁部や壁の開口部の周囲の縁部等の内壁面に取り付けられる住宅の化粧材２であって、少なくとも一方の側縁部（分割部３１）と該側縁部３１を除く本体部（化粧面部材２１）とが分割され、上記側縁部３１と上記本体部２１とのいずれか一方に長さ方向に沿った溝２４が形成されるともに、他方に該溝２４に嵌合する突条（長片３２もしくは短片３３）が形成され、上記溝２４に上記突条３２を嵌合させることで、本体部２１と側縁部３１とが接合され、上記溝２４の内側面に段差２４ｃが形成されることで上記溝２４の幅が段階的に変化することにより該溝２４の奥の幅より開口部側の幅が広くされ、かつ、上記突条３２が上記溝２４に対応して、その厚みが段階的に変化することにより、先端部が後部より薄くされ、
上記突条３２の外面及び上記溝２４の内面の双方には、それぞれ断面ほぼ鋸歯状の抜け止め部が形成され、
前記溝２４の内面に形成された抜け止め部２５の鋸歯が、前記突条３２の外面に形成された抜け止め部の鋸歯より大きいことを特徴とする。
【００１２】
上記構成によれば、化粧材２が本体部２１と一方の側縁部３１とに二分割された状態となっているので、状況に応じて本体部２１だけ使用したり、本体部２１と側縁部３１とを接合して使用したりすることが可能となる。また、一種の本体部２１に対して複数種類の側縁部３１が対応するようにしたり、逆に、一種の側縁部３１に対して複数種類の本体部２１が対応したりすることにより、多種類の化粧材２が用いられる場合に、共通部分だけは同じ形状としてコストの低減を図ることができる。また、本体部２１と側縁部３１の接合の仕方を変えることにより、形状を変化させて異なる状況に対応できるようにすることができる。そして、側縁部３１と上記本体部２１とのいずれか一方に長さ方向に沿った溝２４が形成されるともに、他方に該溝２４に嵌合する突条３２が形成され、上記溝２４に上記突条３２を嵌合させることで、本体部２１と側縁部３１とが接合され、かつ、上記溝２４の内側面に段差２４ｃが形成されることで上記溝２４の幅が段階的に変化することにより該溝２４の奥の幅より開口部側の幅が広くされ、かつ、上記突条３２が上記溝２４に対応して、その厚みが段階的に変化することにより、先端部が後部より薄くされているので、溝２４の開口部が突条３２の先端部に対して広いものとなり、容易に溝２４の開口部に突条３２を挿入できるとともに、溝２４の内面に案内された状態で溝２４に突条３２を嵌合させることができる。従って、従来のように、強度を確保した状態で分割可能にされた化粧材を分割する場合よりも、作業性を向上することができる。
また、溝２４に対する突条３２の引抜抵抗力を抜け止め部２５により高めることができる。また、接着剤を使用する場合には、接着剤の接合力が発現するまで、溝２４に突条３２を強固に嵌合させることにより、接着剤による接着を確実なものとすることができる。
【００１４】
また、溝２４の幅及び突条３２の厚みが段階的に変化するので、溝２４の内面と突条３２の外面とを溝２４に対する突条３２の引抜方向とほぼ平行にすることが可能であり、溝２４の内面や突条３２の外面が例えばくさび状となることにより、溝２４に対して突条３２が抜けやすい状態となるのを防止することができる。
【００１５】
本発明の請求項２記載の住宅の化粧材２は、請求項１記載の化粧材２において、上記溝２４が少なくとも奥側の幅の狭い一段目の挟幅部２４ａと、該挟幅部２４ａより開口部側の幅の広い拡幅部２４ｂとの少なくとも二段階の幅を有するように形成され、上記突条３２が上記溝２４に対応して先側の厚みの薄い一段目の薄部３２ａと、該薄部３２ａより後方の厚みの厚い厚部３２ｂとの少なくとも二段階の厚みを有するように形成され、上記突条３２の一段目の薄部３２ａの上記突条３２を上記溝２４に挿入する際の挿入方向に沿った長さが、上記溝２４の一段目の挟幅部２４ａの後端から開口までの上記挿入方向に沿った長さより長いことを特徴とする。
【００１６】
上記構成によれば、溝２４に突条３２を嵌合させる際に、請求項１記載の構成のように、溝２４の開口が突条３２の先端部より広くなり、溝２４に突条３２を挿入しやすい状態となるとともに、溝２４に突条３２を嵌合する際に、溝２４の奥側の挟幅部２４ａの後端に突条３２の先端（突条３２の薄部３２ａの先端）が至った段階で、突条３２の薄部３２ａより後方の厚部３２ｂの先端が未だ溝２４の開口に至っていない状態となる。そして、溝２４の挟幅部２４ａに突条３２の薄部３２ａの先端部を挿入した段階で、溝２４の開口から突条３２の厚部３２ｂの先端部が溝２４内に入る状態となる。この際には、既に、突条３２の薄部３２ａの先端部が溝２４の挟幅部２４ａに挿入されて案内された状態となっているので、溝２４の開口部の位置と突条３２の厚部３２ｂの先端部の位置がほぼ対応した状態となっている。従って、この場合には、溝２４の開口部と突条３２の厚部３２ｂの先端部の位置がずれて、溝２４の開口部に突条３２の厚部３２ｂが引っかかり、溝２４に突条３２がスムーズに嵌合できない状態となるのを防止することができる。すなわち、溝２４に突条３２をスムーズに嵌合させることができる。
【００１７】
本発明の請求項３記載の住宅の化粧材２は、請求項１または２記載の化粧材２において、上記溝２４の一段目の挟幅部２４ａの上記突条３２を上記溝２４に挿入する際の挿入方向に沿った長さが、上記突条３２の一段目の薄部３２ａの上記挿入方向に沿った長さより長いことを特徴とする。
【００１８】
上記構成によれば、上記溝２４の一段目の挟幅部２４ａの上記突条３２を上記溝２４に挿入する際の挿入方向に沿った長さが、上記突条３２の一段目の薄部３２ａの上記挿入方向に沿った長さより長いので、突条３２を溝２４に嵌合させた場合に、溝２４の挟幅部２４ａの最も奥に突条３２の先端が至る前に挟幅部２４ａの入口部分に突条３２の厚部３２ｂの先端部が当たってしまい、突条３２の先端部が溝２４の最も奥まで挿入できない状態となる。従って、溝２４に突条３２を嵌合させた状態で、溝２４の奥に空間できることになる。この際に、溝２４に突条３２を嵌合させるとともに、溝２４と突条３２との嵌合部分で、化粧材２の本体部２１と側縁部３１とを接着剤で接着するものとすれば、溝２４に突条３２を挿入して嵌合させる際に余分な接着剤が溝２４の奥側に押しやられ、溝２４に突条３２を嵌合した際に残る溝２４の最も奥の空間に余分な接着剤が収容されることになる。従って、接着剤が多少余分に塗布されていても、余分な接着剤が溝２４と突条３２との嵌合部から漏出するのを防止することができる。なお、溝２４に突条３２を嵌合させた状態で化粧材２の本体部２１と側縁部３１とを接着剤により接着させることで、本体部２１と側縁部３１とを接着剤の接合力が発現するまで仮止めする必要がなく、作業性を向上することができる。
【００２１】
【発明の実施の形態】
以下に、本発明の実施の形態の一例の住宅の化粧材を図面を参照して説明する。
ここで、この実施例における化粧材の種類について説明する。図１及び図２は、住宅の室内において壁１の内壁面（壁の開口部の内側面、天井の段差の垂直面、床の段差の垂直面を含む）に取り付けられた各種化粧材２を示すものである。化粧材２としては、壁１の内壁面の天井との境界部分に設けられる廻り縁１１、壁１の内壁面の床との境界部分に設けられる巾木１２や、壁１に形成された窓となる開口部のサッシ枠より屋内側に設けられた窓枠１３や、壁１の開口部に設けられた見切り枠１４や、壁の内部ドアとなる開口部に設けられたドア枠１５などがある。また、窓枠１３、ドア枠１５等においては、さらに化粧材２として、窓枠１３やドア枠１５の外側に、窓枠１３やドア枠１５につながった状態でケーシング１６が設けられる場合もある。
【００２２】
そして、図３及び図４に示されるのは、上記各種化粧材２の一例としての廻り縁１１である。この一例において、廻り縁１１は、壁１等に取り付けられる受材１７と、該受材１７に取り付けられる化粧面部材２１と、該化粧面部材２１に設けられ、受材１７と嵌合する一対の挟持片２２ａ、２２ｂと、化粧面部材２１に接合される分割部３１（図４に図示）とを備えている。
そして、上記受材１７は、例えば、断面矩形状の木材からなるものであるが、木材に限られるものではなく、樹脂であっても良い。なお、受材１７を樹脂とする場合には、断面矩形状とする必要はなく、例えば、断面コ字状や、内部に中空を有する四角筒状などとしても良い。また、受材１７を樹脂製の断面コ字状とする場合には、開口する側が内壁面側ではなく、内壁面の反対側を向いた状態となることが好ましい。
【００２３】
上記化粧面部材２１は、化粧材２としての廻り縁１１において、主に露出する化粧面を有するものであり、化粧面部材２１の表側が化粧面となっている。そして、化粧面部材２１は、図１に示されるように左右に延在する長尺なものである。また、化粧面部材２１の下部には、分割部３１と嵌合する嵌合部２３が設けられている。すなわち、化粧面部材２１は、化粧材２（廻り縁１１）の本体となるものであり、分割部３１は、化粧材２の上下の側縁部のうちの下側の側縁部となるものである。
【００２４】
上記嵌合部２３は、ほぼ逆Ｕ字状に形成され、化粧面部材２１の下端面に溝２４が設けられた状態となっている。そして、溝２４には、分割部３１の後述する長片３２もしくは短片３３のいずれか一方が挿入された状態に嵌合するようになっている。そして、溝２４は、奥側の幅が狭く、開口側の幅が広くなっている。また、溝２４の幅は、奥側に向かうにつれて段階的に狭くなるようにされている。そして、溝２４は、図４に示すように、基本的に奥側の幅の狭い挟幅部２４ａと、開口側の幅の広い拡幅部２４ｂとを有するものとなっている。また、溝２４においては、二つの内側面のうちの内壁面に近い側の内側面に段差２４ｃが形成されることで、挟幅部２４ａと、拡幅部２４ｂの幅が段階的に変えられている。また、溝２４には、分割部３１の長片３２もしくは短片３３が挿入されて嵌合されることになるが、その際の長片３２もしくは短片３３の挿入方向に沿った溝２４の拡幅部２４ｂの長さ（溝２４の開口から挟幅部２４ａまでの長さ）が、分割部３１の長片３２及び短片３３の後述する薄部３２ａ、３３ａの長さ（長片３２もしくは短片３３の先端部から厚部３２ｂ、３３ｂの先端までの長さ）より短くなっている。さらに、溝２４の挟幅部２４ａの上記挿入方向に沿った長さが、上記長片３２及び短片３３の薄部３２ａ、３３ａの長さより長くなっている。
【００２５】
また、溝２４の互いに対向し、かつ、分割部３１の長片３２もしくは短片３３に当接する内側面（ここでは挟幅部２４ａの内側面）には、それぞれ、断面がほぼ鋸歯状の抜け止め部２５、２５が形成されているとともに、互いに対向する抜け止め部２５、２５同士の間隔が分割部３１の長片３２及び短片３３（薄部３２ａ、３３ａ）の厚みより僅かに狭くなっており、溝２４に分割部３１の長片３２及び短片３３を押込んだ際に嵌合部２３が弾性変形して、長片３２もしくは短片３３が溝に挿入可能となるとともに、嵌合部２３の弾性力により嵌合部２３に分割部３１が押えられて嵌合するようになっている。また、嵌合部２３と分割部３１とは接着剤により接着されている。
【００２６】
上側の上記挟持片２２ａは、化粧面部材２１の上端部から後方に延出して形成され、下側の挟持片２２ｂは、化粧面部材２１の下部で、かつ、上記嵌合部２３の上部から後方に延出している。そして、上側の挟持片２２ａと下側の挟持片２２ｂとは、互いに対向しており、上側の挟持片２２ａと下側の挟持片２２ｂとの互いに対向し、かつ、受材１７に当接する面には、断面ほぼ鋸歯状の抜け止め部２６、２６が形成されている。なお、受材１７を上述のように樹脂製とした場合には、受材１７の挟持片２２ａ、２２ｂと当接する面にも断面ほぼ鋸歯状の抜け止め部を形成して、さらに引抜抵抗力を高めるものとしても良い。また、一対の挟持片２２ａ、２２ｂの互いに対向する面の化粧面部材２１の裏面との接合部分には、挟持片２２ａ、２２ｂと受材１７とを接着剤で接合する際に、余分な接着剤を溜める空間となる凹部２７、２８が形成されている。
【００２７】
該凹部２７、２８は、挟持片２２ａ、２２ｂと化粧面部材２１の裏面との境界に沿って溝状とされている。そして、上側の挟持片２２ａの抜け止め部２６と下側の挟持片２２ｂとの間の間隔は、受材１７の上下長さより僅かに短いものとされ、上下の挟持片２２ａ、２２ｂの間に、受材１７を押込んだ際に上下の挟持片２２ａ、２２ｂが弾性変形して受材１７を挟持片２２ａ、２２ｂ同士の間に挟み込むことが可能となるとともに、挟持片２２ａ、２２ｂの弾性力により受材１７を挟んで嵌合できるようになっている。
【００２８】
上記分割部３１は、図４に示すように、長片３２と短片３３とが直角に接合されてＬ字状に形成され、後述する内装材と廻り縁１１との見切り材として機能する部分である。そして、長片３２と短片３３とは、その先端部が溝２４の挟幅部２４ａに対応する厚みを有する薄部３２ａ、３３とされ、該薄部３２ａ、３３ａより後ろ側が溝２４の拡幅部２４ｂに対応する厚みを有する厚部３２ｂ、３３ｂとされている。従って、長片３２及び短片３３は、先端に向かうにつれて薄くなる形状とされている。また、長片３２及び短片３３は、段差３２ｃ、３３ｃの部分で段階的に厚みが変えられており、先端に向かうにつれて段階的に細くなるようになっている。そして、長片３２及び短片３３の薄部３２ａ、３３ａの上記挿入方向に沿った長さが溝２４の拡幅部２４ｂより長くされ、かつ、挟幅部２４ａより短くされている。
【００２９】
そして、分割部３１は、化粧面部材２１の嵌合部２３にその長片３２と短片３３とのうちの一方を嵌合するようになっている。そして、長片３２を嵌合部２３に嵌合させた場合には、短片３３が化粧面部材２１の嵌合部２３から内壁面に向かって延出した状態となり、短片３３を嵌合部２３に嵌合させた場合には、長片３２が化粧面部材２１の嵌合部２３から内壁面に向かって延出した状態となるようになっている。そして、短片３３を内壁面に向かって延出させた場合には、短片３３と内壁面との間の間隔が広くなり、長片３２を内壁面に向かって延出させた場合には、長片３２と内壁面との間の間隔が狭くなるようになっている。なお、長片３２及び短片３３は、化粧面部材２１の嵌合部２３の溝２４に嵌合する突条とみなすことができる。
【００３０】
これは、内壁面に貼られる内装材（図示略）としてクロス（壁紙）等の薄いシート状の部材と、少し厚い板状（ボード状）の部材とのいずれか一方が用いられることを想定したものである。なお、内装材は、下の挟持片２２ｂの位置の下から内壁面に貼られるようになっており、内装材の上端部が廻り縁１１の分割部３１の裏側に隠れるようになっている。そして、厚いボード状の内装材を用いる場合には、分割部３１の短片３３が内壁面に向かうようにして、内装材が貼られる前の内壁面と短片３３の先端との間に厚いボード状の内装材が挟まれるようにし、薄いシート状の内装材を用いる場合には、分割部３１の長片３２が内壁面に向かうようにして、内装材が貼られた内壁面と長片３２との間にほとんど間隔があかないようにしている。すなわち、この一例の廻り縁１１は、一種類で厚みの異なる複数種類の内装材に対応できるようになっている。なお、図５に示される廻り縁１１ａ（受材１７及び分割部３１を図示省略）は、上記廻り縁１１と同様の形状を有するものであるが、その上下高さが廻り縁１１より長くなっている。そして、上記廻り縁１１ａにおいては、その上下長さが長くなっていても、同じ分割部３１を用いることができるようになっており、廻り縁１１、１１ａの種類を増やした場合に部品点数が多くなるのを抑制できるようになっている。
【００３１】
そして、廻り縁１１を備えた内装構造においては、内壁面に上記受材１７が釘やビス等の接合部材により接合されて取り付けられている（接着剤を用いるものとしても良い）。また、内壁面の受材１７より下側には、内装材が貼設されている。そして、上記受材１７には、二つの挟持片２２ａ、２２ｂに受材１７を挟み込むようにして挟持片２２ａ、２２ｂが受材１７に嵌合することにより化粧面部材２１が受材１７に接合されている。なお、嵌合部２３を含む化粧面部材２１と、挟持片２２ａ、２２ｂとは、上述の木質様成形品であり、例えば、押出成形により一体に成形されており、樹脂として弾性を備えたものとなっている。また、分割部３１も木質様成形品である。そして、受材１７と挟持片２２ａ、２２ｂとは、上述のように嵌合するとともに接着剤により接着されている。また、化粧面部材２１は、上述のように内装材に厚みに対応して分割部３１が取り付けられている。また、分割部３１は、その長片３２もしくは短片３３が溝２４に嵌合するとともに、接着剤により長片３２もしくは短片３３と溝２４の内側面とが接着させられている。
【００３２】
次に、廻り縁１１の施工方法及び作用効果を説明する。まず、内壁面に受材１７を固定する。一方、化粧面部材２１に分割部３１を嵌合させる。この際には、予め、化粧面部材２１の溝２４の内側面に接着剤を塗布しておく。そして、上述のように溝２４は、開口部側が広くされ、分割部３１の長片３２及び短片３３の先端部が薄くされているので、溝２４に長片３２及び短片３３を容易に挿入することができる。また、溝２４は、一方の内側面側だけに段差２４ｃが形成されることで、幅の広い開口部側の拡幅部２４ｂと幅の狭い奥側の挟幅部２４ａとがわけられており、他方の内側面側には、段差がほとんど形成されていない状態なので（抜け止め部２５の小さな段差は存在しているが、小さいので後述の作用においては無視することができる）、溝２４に長片３２もしくは短片３３の先端部を挿入した後に、長片３２もしくは短片３３を溝２４の段差がほとんどない他方の内側面に沿って（案内された状態で）、溝２４の奥まで長片３２もしくは短片３３を挿入していけば、長片３２もしくは短片３３の先端部を溝２４の挟幅部２４ａに円滑に挿入することができるとともに、長片３２もしくは短片３３の厚部３２ｂ、３３ｂの先端部を溝２４の開口に円滑に挿入させることができる。
【００３３】
また、長片３２及び短片３３の先端側の薄部３２ａ、３３ａの長さが、溝２４の拡幅部２４ｂの長さより長くされているので、溝２４に長片３２及び短片３３を挿入していく際に、溝２４の挟幅部２４ａに長片３２もしくは短片３３の先端部が挿入された状態となる前に、溝２４の開口に長片３２もしくは短片３３の厚部３２ｂ、３３ｂの先端が挿入されることがない。従って、長片３２もしくは短片３３の厚部３２ｂ、３３ｂが溝２４に挿入される際には、既に、長片３２もしくは短片３３の先端部が挟幅部２４ａに挿入されていることにより、挟幅部２４ａに長片３２もしくは短片３３の薄部３２ａ、３３ａが案内された状態で、長片３２もしくは短片３３の厚部３２ｂ、３３ｂが溝２４の開口から挿入されることになり、さらに円滑に長片３２もしくは短片３３の厚部３２ｂ、３３ｂを溝２４に挿入することができる。
【００３４】
また、化粧面部材２１の溝２４の内面に接着剤を塗布した状態で、溝２４に長片３２もしくは短片３３を挿入した場合には、余分な接着剤が長片３２もしくは短片３３に押されて溝２４の奥側に移動することになる。この際に、長片３２及び短片３３の先端側の薄部３２ａ、３３ａの上記挿入方向に沿った長さが溝２４の挟幅部２４ａの挿入方向に沿った長さより短いので、溝２４に長片３２もしくは短片３３を押込んで行った際に、長片３２もしくは短片３３の先端が溝２４の最も奥に至る前に、長片３２もしくは短片３３の段差３２ｃ、３３ｃが溝２４の段差２４ｃに当たり、それ以上長片３２もしくは短片３３を奥に挿入できない状態となり、溝２４の奥には、長片３２もしくは短片３３が挿入されていない空間が生じることになる。そして、この空間に上述のように溝２４の奥側に押された接着剤が押込まれた状態となるので、余分な接着剤は上記空間に収容された状態となり、余分な接着剤が溝２４からあふれ出すようなことがない。
【００３５】
また、溝２４の内側面と、長片３２及び短片３３の側面とは、それぞれ段階的に幅や厚みを変化させることから、溝２４に長片３２もしくは短片３３を挿入する挿入方向とほぼ平行な面とすることができる。すなわち、溝２４の内側面と、長片３２及び短片３３の側面とが幅や厚みを変更するために、上記挿入方向に対して斜めとなってくさび状の形状となる必要がなく、溝２４の内側面と、長片３２及び短片３３の側面とをほぼ上記挿入方向に沿ったものとすることができる。これにより、溝２４に長片３２もしくは短片３３を挟んだ状態とし、かつ、化粧面部材の弾性力により長片３２もしくは短片３３を挟んで押えるようにした場合に、溝２４、長片３２及び短片３３がくさび状の形状になっていた場合のように、長片３２や短片３３を外に押出すような力が働くことがない。
【００３６】
また、溝２４の内側面には、断面ほぼ鋸歯状の抜け止め部が設けられており、溝２４から長片３２もしくは短片３３が抜けるのを抑制することができる。これらのことから、溝２４に長片３２もしくは短片３３を嵌合させた状態で接着させる際に、接着剤の接合力が十分に発現するまで溝２４に長片３２もしくは短片３３を強固に嵌合させておくことができる。次いで、受材１７に化粧面部材２１と一体の挟持片２２ａ、２２ｂを嵌合させる。この際には、挟持片２２ａ、２２ｂの互いに対向し、かつ、受材に当接する面に予め接着剤を塗布しておく。そして、挟持片２２ａ、２２ｂの間に受材１７が押込まれるように、化粧面部材２１を受材１７に向かって押し付ける。この際には、挟持片２２ａ、２２ｂの接着剤が塗布された面に受材１７が押し付けられるとともに、受材が挟持片２２ａ、２２ａの先端部から基端部側に移動していくことになる。そして、この場合に、挟持片２２ａ、２２ｂに余分に塗布された接着剤が受材１７に押されて挟持片２２ａ、２２ｂの基端部側に寄せ集められて行く。そして、挟持片２２ａ、２２ｂの基端部、すなわち、化粧面部材２１の裏面との境界部分には、上述の凹部２７、２８が形成されているので、該凹部２７、２８内に寄せ集められた接着剤が受材１７により押し入れられることになる。これにより、余分な接着剤が受材と化粧面部材２１の挟持片２２ａ、２２ｂとの嵌合部分の外側に露出するのを防止することができる。
【００３７】
なお、溝２４の幅と、長片３２及び短片３３の厚みとを変化させる際に段階的に変化させるものとしたが、連続的に幅や厚みを変化させるものとしても良い。しかし、この場合には、上述のように溝２４に対して長片３２や短片３３が抜けやすい状態となる可能性がある。また、溝２４の二つの内側面のうちの一方の内側面だけに段差２４ｃを設けるものとし、長片３２及び短片３３においても、一方の側面だけに段差３２ｃ、３３ｃを設けるものとしたが、溝２４の両方の内側面と、長片３２及び短片３３の両方の側面に段差を設けるものとしても良い。しかし、この場合には、溝２４の段差の無い内側面に、長片３２もしくは短片３３を案内させることができない。また、溝２４の内側面だけではなく、長片３２や短片３３の側面にも断面ほぼ鋸歯状の抜け止め部を設けるものとしても良く、このようにすれば、さらに、溝２４に対する長片３２や短片３３の引抜抵抗力を高めることができる。
【００３８】
次に、廻り縁１１以外の化粧材２として窓枠１３を説明する。
図６は、上記化粧材２のうちの窓枠１３と、該窓枠１３を備えた内装構造を示すためのものであり、壁１の窓となる開口部の左側の水平断面図である。なお、図６において、壁１は、壁パネル３からなるものであり、壁パネル３は、框材３ａを矩形枠状に組むとともに枠内部に縦横に棧材（図示略）を配置した枠組３ｂと、該枠組３ｂの左右両面に貼設された面材３ｃ、３ｃとからなるものである。なお、図６においては、壁パネル３の外面側に貼設される外装材を省略して図示している。また、壁１の開口部との境となる部分には方立て４が配置されている。図６において、方立て４より右側が窓となる開口部である。そして、図６に示されるように、壁１の開口部の内側面の外よりの部分には、サッシ枠５が取り付けられ、内よりの部分には窓枠１３が取り付けられている。なお、図６においては、壁１の内面側の窓に隣接する部分にケーシング１６が取り付けられない構造となっている。
【００３９】
そして、窓枠１３は、基本的に廻り縁１１と同様に、受材１７と、化粧面部材４１（本体部）と、該化粧面部材４１に設けられ、受材１７と嵌合する一対の挟持片４２ａ、４２ｂと、化粧面部材４１に接合される分割部５１（側縁部）とを備えているものである。なお、これら受材１７、化粧面部材４１、挟持片４２ａ、４２ｂ、分割部５１は、上記廻り縁１１の同名の部材と細部の構造やサイズ等が異なるものの基本的に同様の構成を有し、かつ、同様の材質からなるものである。
【００４０】
上記受材１７は、上記廻り縁１１の受材１７とサイズ以外は同様のものである。上記化粧面部材４１は、その表側が化粧面となっており、上下に延在する長尺なものである。また、化粧面部材４１の壁の内側に向かう端部には、上記分割部５１と嵌合する嵌合部４３が設けられている。該嵌合部４３においては、化粧面部材４１の他の部分より厚く形成されるとともに、裏面側に嵌合溝４４が形成され、該嵌合溝４４に、分割部５１が嵌合している。
【００４１】
そして、嵌合溝４４は、基本的に廻り縁１１の化粧面部材２１の溝２４と同様の形状を有するものである。すなわち、嵌合溝４４は、奥側の幅が狭く、開口側の幅が広くなっている。また、嵌合溝４４の幅は、奥側に向かうにつれて段階的に狭くなるようにされている。そして、嵌合溝４４は、基本的に奥側の幅の狭い挟幅部４４ａと、開口側の幅の広い拡幅部４４ｂとを有するものとなっている。また、嵌合溝４４においては、二つの内側面のうちの内壁面に近い側の内側面に段差４４ｃが形成されることで、挟幅部４４ａと、拡幅部４４ｂの幅が段階的に変えられている。また、嵌合溝４４には、分割部５１の後述する突条５３が挿入されて嵌合されることになるが、その際の突条５３の挿入方向に沿った嵌合溝４４の拡幅部４４ｂの長さが、分割部５１の突条５３の後述する薄部５３ａの長さより短くなっている。さらに、嵌合溝４４の挟幅部４４ａの上記挿入方向に沿った長さが、分割部５１の突条５３のの薄部５３ａの長さより長くなっている。
【００４２】
また、嵌合溝４４の互いに対向し、かつ、分割部５１の突条５３に当接する内側面（ここでは挟幅部４４ａと拡幅部４４ｂとの内側面）には、それぞれ、断面がほぼ鋸歯状の抜け止め部（図示略）が形成されている。また、嵌合部４３と分割部５１とは接着剤により接着されている。上記挟持片４２ａ、４２ｂは、化粧面部材４１の裏面の外より側の部分と、内より側の部分とからそれぞれ後方に延出している。また、挟持片４２ａ、４２ｂの互いに対向する面には、廻り縁１１の挟持片２２ａ、２２ｂの抜け止め部２６、２６及び凹部２７、２８と同様の構成を有する抜け止め部４６、４６及び凹部４７、４８が廻り縁１１の場合と同様の位置に設けられている。
【００４３】
上記分割部５１は、廻り縁１１の分割部３１が内装材の上端部を覆い隠すようになっていたのに対して、内装材の下地となる石膏ボード５２及び巾木１２の開口部側の端部に当接して、化粧面部材４１の裏面や受材１７を隠すようになっている。そして、上記分割部５１は、上記化粧面部材４１の嵌合部４３の嵌合溝４４に嵌合する突条５３と、突条５３を嵌合部４３に嵌合させた状態で化粧面部材４１の後方側に延出する本体部５４と、本体部５４の突条５３の反対側に形成され、石膏ボード５２及び巾木１２に当接する当接面５５とを有するものである。
【００４４】
上記突条５３は、（図６の分割部５１に代えて、図１１の右側に図示された分割部５１を参照して説明する。なお、図６の分割部５１の突条５３と図１１の分割部５１の突条５３は同じ形状を有するものである）その先端部が嵌合溝４４の挟幅部４４ａに対応する厚みを有する薄部５３ａとされ、該薄部５３ａより後ろ側が嵌合溝４４の拡幅部４４ｂに対応する厚みを有する厚部５３ｂとされている。従って、突条５３は、先端に向かうにつれて薄くなる形状とされている。また、突条５３は、段差５３ｃの部分で段階的に厚みが変えられており、先端に向かうにつれて段階的に細くなるようになっている。そして、突条５３の薄部５３ａの上記挿入方向に沿った長さが嵌合溝４４の拡幅部４４ｂより長くされ、かつ、挟幅部４４ａより短くされている。また、突条５３の薄部５３ａ及び厚部５３ｂの側面には、それぞれ断面ほぼ鋸歯状の抜け止め部（図示略）が設けられている。
【００４５】
また、分割部５１の本体部５４の屋内側に臨む面は、屋内側に突出した状態となって意匠性を高めるようになっている。また、分割部５１が、化粧面部材４１に対して分割可能となっているのは、後述するように角部で窓枠１３、見切り枠１４、ドア枠１５等の化粧材２（化粧枠）が互いに隣接する場合に、これらの分割部５１となる部分同士が互いにぶつかってしまい分割部５１の部分が邪魔になって化粧材２が取り付けられない状態となるの防止するために、隣接する化粧材２のうちの一方の化粧材２の分割部５１を外した状態として、これら化粧材２を隣接して配置できるようにしたものである。そして、上記窓枠１３においても、分割部３１と分割部５１との一部の機能の違い以外は、廻り縁１１と同様の作用効果を得ることができる。
【００４６】
図７に示される内装構造は、図８及び図９に示すように、第一の壁１ａに第二の壁１ｂが直角に接合され、第一の壁１ａの第二の壁１ｂが接合される部分に隣接して窓となる開口部１ｃが設けられ、第二の壁１ｂの第一の壁１ａと接合する部分にドア（図示略）がはめ込まれる開口部１ｄが設けられた場合のように、壁１同士が直角に接合された部分の角部で該角部を挟んで窓枠１３ａとドア枠１５とが隣接して配置された場合のものである。そして、図７は、第一の壁１ａの第二の壁１ｂと接合される部分の水平断面図である。なお、第一の壁１ａも図６で示した壁１と同様の壁パネル３からなり開口部側の端部に方立て４が接合されている。
【００４７】
上記窓枠１３ａは、上記窓枠１３と同様に、受材１７と、化粧面部材４１と、該化粧面部材４１に設けられ、受材１７と嵌合する一対の挟持片４２ａ、４２ｂと、化粧面部材４１に接合される分割部５１とを備えてなるものである。そして、窓枠１３ａにおいては、化粧面部材４１の外より側の端部が外より側の挟持片４２ａの位置までとされている以外は、窓枠１３と同様の構成となっている。そして、化粧面部材４１の嵌合部４３には、窓枠１３の場合と同様に同様の形状を有する嵌合溝４４が設けられている。一方、窓枠１３ａの分割部５１も窓枠１３の分割部５１と全く同様の形状を有するものである。そして、窓枠１３ａは、ともに用いられるサッシ枠５の形状に対応して、窓枠１３と異なる断面形状とされたものであり、対応するサッシ枠５の形状が異なるだけで窓枠１３と同様に用いることができるものである。なお、窓枠１３ａにおいては、上述のように角部でドア枠１５と隣接する場合に、予め分割部５１が取外された形状となっている。このようにすることで、ドア枠１５の分割部５１と窓枠１３ａの分割部５１がほぼ同じ位置に配置されることにより、ドア枠１５もしくは窓枠１３ａが配置できなくなるのを防止することができる。言い換えれば、ドア枠１５及び窓枠１３ａにおいて、特に角部専用のドア枠１５や窓枠１３ａを予め用意しなくとも、単独で用いられるドア枠１５もしくは窓枠１３ａに分割部５１を取り付けない状態（外した状態）とすれば、ドア枠１５や窓枠１３ａが角部で互いに隣接している場合にも用いることができる。
【００４８】
従って、設置する部分の状況に対応してドア枠１５や窓枠１３ａに、形状の異なる規格のものを製造したり、その場で形状を変えるように加工したりする必要がなく、部品種類の低減、施工の省力化等を図り、最終的にコストダウンを図ることができる。また、角部において窓枠１３，１３ａやドア枠１５に分割部５１が用いられない場合には、化粧面部材４１に分割部５１を取り付けずにそのまま用いることができ、かつ、単独で窓枠１３，１３ａやドア枠１５を用いる場合等おいては、上述のように化粧面部材４１に分割部５１を取り付けることになるが、この場合には、廻り縁１１において化粧面部材２１に分割部３１を付けた場合と同様に極めて容易に化粧面部材２１に分割部５１を取り付けることができ、かつ、化粧面部材２１に分割部５１が強固に接着されるまで、化粧面部材２１に分割部５１を強固に嵌合させた状態とすることができる。
【００４９】
また、ドア枠１５及び窓枠１３ａが角部で隣接した場合に、それぞれの化粧面部材４１、４１の角部の頂点側の端部が当接せずに互いに間隔をあけた状態となるようになっている。そして、この間隔の部分には、ドア枠１５もしくは窓枠１３ａの一方に取り付けられた分割部５１が配置されて、上記間隔が分割部５１により閉塞された状態とされる。また、この際に、分割部５１の角部が上記間隔から外部に露出した状態となり、分割部５１の角部と二つの化粧面部材４１、４１の端部から几帳面状の形状が形成され、意匠性を高めるようになっている。
【００５０】
上記ドア枠１５は、基本的に窓枠１３と同様の構成を有するものであり、受材１７ａ（受材１７に戸当たり４９を取り付けるための溝を設けたもの）と、化粧面部材４１と、該化粧面部材４１に設けられ、受材１７ａと嵌合する一対の挟持片４２ａ、４２ｂと、化粧面部材４１に接合される分割部５１とを備えるものである。なお、ドア枠１５においては、基本的に左右対称の形状とされ、化粧面部材４１の左右端部にそれぞれ嵌合部４３が設けられ、該嵌合部４３にそれぞれ分割部５１が嵌合するようになっている。また、化粧面部材４１の中央部に戸当たり４９が取り付けられるスリット５０が設けられている。また、ドア枠１５の挟持片４２ａ、４２ｂの互いに対向する面には、窓枠１３の場合と同様に、抜け止め部４６、４６及び凹部４７、４８が設けられている。
【００５１】
そして、ドア枠１５において、化粧面部材４１の嵌合部４３に形成された嵌合溝４４は、上述の窓枠１３における嵌合溝４４と同じ形状を有するものであり、分割部５１も窓枠１３の分割部５１と同じ形状を有するものである。このようなドア枠１５及び窓枠１３ａにおいても、上記廻り縁１１や窓枠１３と同様に、容易に化粧面部材４１に分割部５１を接合することができ、かつ、化粧面部材４１に分割部５１が強固に接着されるまで、化粧面部材４１に分割部５１を強固に嵌合しておくことができる。また、ドア枠１５においては、図７に示すように、壁１を構成する壁パネル３の開口部側の端面ではなく、壁パネル３の側面に取り付けられる場合もあり、この場合には、上述の分割部５１の当接面ではなく、本体部５４の屋内側に臨む面が石膏ボード５２等に当接することになる。
【００５２】
図１０及び図１１は、上述のような角部に窓枠１３ａ、１３ａ同士が互いに隣接して配置された場合と、角部にドア枠１５、１５同士が互いに隣接して配置された場合とを示すものであり、上述の角部にドア枠１５と窓枠１３ａとを隣接して配置した場合と異なるバリエーションを示すものである。この場合も互いに隣接する窓枠１３ａ、１３ａ同士もしくはドア枠１５、１５同士において、一方の窓枠１３ａもしくはドア枠１５に分割部５１が取り付けられ、他方の窓枠１３ａもしくはドア枠１５（角側）に分割部５１が取り付けられていない状態となっている。これにより、窓枠１３ａやドア枠１５が上述のように角部で一部が互いに重なって配置されるような場合でも、単独で用いられる窓枠１３ａやドア枠１５を分割部５１を取り付けない状態とするだけで使用できる。また、分割部５１により、上述の場合と同様に窓枠１３ａ同士もしくはドア枠１５同士で形成される角部を几帳面状の形状とすることができる。また、図１０及び図１１に示される内装構造において、図７の場合と同様の形状を有する窓枠１３ａ及びドア枠１５が用いられており、図７の場合の窓枠１３ａ及びドア枠１５と同様の作用効果を奏することができる。なお、図１０においては、受材１７が壁パネル３ではなく、柱状の木材６０に取り付けられる。なお、木材６０は、壁の角部の二つの窓に挟まれた部分を構成するものである。
【００５３】
【発明の効果】
本発明の請求項１記載の住宅の化粧材によれば、化粧材が本体部と一方の側縁部とに二分割された状態となっており、これらを接合する場合と接合しない場合や、接合の仕方を変えた場合などによって、状況に応じて化粧材を変形することができる。そして、側縁部と上記本体部とのいずれか一方に長さ方向に沿った溝が形成されるともに、他方に該溝に嵌合する突条が形成され、上記溝に上記突条を嵌合させることで、本体部と側縁部とが接合され、かつ、上記溝の内側面に段差が形成されることで上記溝の幅が段階的に変化することにより該溝の奥の幅より開口部側の幅が広くされ、かつ、上記突条が上記溝に対応して、その厚みが段階的に変化することにより、先端部が後部より薄くされているので、溝の開口部が突条の先端部に対して広いものとなり、容易に溝の開口部に突条を挿入できるとともに、溝の内面に案内された状態で溝に突条を嵌合させることができる。
また、溝に対する突条の引抜抵抗力を抜け止め部により高めることができる。
【００５４】
また、溝の幅及び突条の太さが段階的に変化するので、溝の内面と突条の外面とを溝に対する突条の引抜方向とほぼ平行にすることが可能であり、溝の内面や突条の外面が例えばくさび状となることにより、溝に対して突条が抜けやすい状態となるのを防止することができる。本発明の請求項２記載の住宅の化粧材によれば、溝に突条をスムーズに嵌合させることができる。
【００５５】
本発明の請求項３記載の住宅の化粧材によれば、接着剤多少余分に塗布されていても、余分な接着剤が溝と突条との嵌合部から漏出するのを防止することができる。
【図面の簡単な説明】
【図１】本発明の実施の形態の一例の化粧材が用いられる部分を示す住宅内部の要部斜視図である。
【図２】上記例の化粧材が用いられる部分を示す住宅内部の要部斜視図である。
【図３】上記例の化粧材のうちの廻り縁の一部を示す側面図である。
【図４】上記例の化粧材のうちの廻り縁の一部を示す側面図である。
【図５】上記廻り縁と形状が異なる廻り縁の化粧面部材を示す側面図である。
【図６】上記例の化粧材のうちの窓枠の一例を示す断面図である。
【図７】上記例の化粧材のうちの窓枠とドア枠が壁同士が直角に接合された角部において隣接して配置された状態を示す断面図である。
【図８】上記例の窓枠とドア枠が隣接して配置される部分を説明するための図面である。
【図９】上記例の窓枠とドア枠が隣接して配置される部分を説明するための住宅内部の要部斜視図である。
【図１０】上記例の化粧材のうちの窓枠同士が角部において隣接して配置された状態を示す断面図である。
【図１１】上記例の化粧材のうちのドア枠同士が角部において隣接して配置された状態を示す断面図である。
【符号の説明】
１      壁
２      化粧材
１１    廻り縁（化粧材）
１２    巾木（化粧材）
１３    窓枠（化粧材）
１４    見切り材（化粧材）
１５    ドア枠（化粧材）
１６    ケーシング（化粧材）
２１    化粧面部材
２３    嵌合部
２４    溝
２４ａ  挟幅部
２４ｂ  拡幅部
３１    分割部
３２    長片（突条）
３３    短片（突条）
３２ａ  薄部
３２ｂ  厚部
３３ａ  薄部
３３ｂ  厚部
４１    化粧面部材
４４    嵌合溝（溝）
４４ａ  挟幅部
４４ｂ  拡幅部
５１    分割部
５３    突条
５３ａ  薄部
５３ｂ  厚部
【図１】
0004201911.tif 000002
【図２】
0004201911.tif 000003
【図３】
0004201911.tif 000004
【図４】
0004201911.tif 000005
【図５】
0004201911.tif 000006
【図６】
0004201911.tif 000007
【図７】
0004201911.tif 000008
【図８】
0004201911.tif 000009
【図９】
0004201911.tif 000010
【図１０】
0004201911.tif 000011
【図１１】
0004201911.tif 000012